(57)【要約】【課題】コネクタ付き基板の形成方法を改良する。【解決手段】台座に設けた複数の貫通孔にそれぞれ端子を圧入し、あるいは端子をインサート成形して台座を設け、前記台座からの底面から突設した前記各端子をプリント基板に設けた端子孔に貫通させると共に、前記台座の底面から突設したリブを前記プリント基板に穿設した貫通孔に嵌合して、前記台座の底面をプリント基板の表面に接触した状態で仮固定し、ついで、前記プリント基板の端子孔に貫通した各端子を半田付けで固定し、ついで、前記台座を内嵌する嵌合孔を設けたコネクタハウジングを、前記台座と嵌合させ、前記端子を収容した状態で前記プリント基板上に搭載している。【選択図】図８
2008117675.tif 000002
【特許請求の範囲】
【請求項１】
台座に設けた複数の貫通孔にそれぞれ端子を圧入し、あるいは端子をインサート成形して台座を設け、
前記台座の底面から突設した前記各端子をプリント基板に設けた端子孔に貫通させると共に、前記台座の底面から突設したリブを前記プリント基板に穿設した貫通孔に嵌合して、前記台座の底面をプリント基板の表面に接触した状態で仮固定し、
ついで、前記プリント基板の端子孔に貫通した各端子を半田付けで固定し、
ついで、前記台座を内嵌する嵌合孔を設けたコネクタハウジングを、前記台座と嵌合させ、前記端子を収容した状態で前記プリント基板上に搭載していることを特徴とするコネクタ付きプリント基板の形成方法。
【請求項２】
コネクタ付きプリント基板をロアケースとアッパーケースとからなるケース内に収容し、前記プリント基板のコネクタを前記ケースの外面に配置してワイヤハーネス端末のコネクタと嵌合する電気接続箱であって、
前記コネクタ付きプリント基板は、該プリント基板の端子孔に夫々半田付けして突設する複数の端子を貫通固定した台座を備え、該台座のプリント基板側面に設けたリブをプリント基板の貫通孔に嵌合して、該台座をプリント基板に当接させ、これら端子を収容すると共に前記台座を嵌合孔に嵌合して前記プリント基板の表面に組み付けるコネクタハウジングを備え、
前記コネクタハウジングの外面に突設した係止片を、前記ロアケースとアッパーケースに夫々形成した被係止部に係止して、該コネクタハウジングを前記ロアケースとアッパーケースとで狭持固定していることを特徴とするプリント基板を備えた自動車用電気接続箱。
【請求項３】
前記コネクタ付きプリント基板は請求項１に記載の形成方法で形成されたものである請求項２に記載のプリント基板を備えた自動車用電気接続箱。
【請求項４】
前記プリント基板上には、複数の前記台座を間隔をあけて並設し、これら台座を嵌合する前記貫通孔を間隔をあけて設けたコネクタハウジングを取り付け、かつ、
前記コネクタハウジングには仕切壁を設けて、異なるコネクタが嵌合されるコネクタ収容部を並設している請求項１または請求項２に記載のプリント基板を備えた自動車用電気接続箱。
【請求項５】
前記プリント基板上にコネクタを隣接して並設し、一方のコネクタはエアバック回路用コネクタ収容部とし、該エアバック回路用コネクタ収容部と隣接する他のコネクタ収容部とを跨いでスライド型のコネクタカバーを前記ロアケースあるいは／及びアッパーケースにスライド自在に取り付け、エアバック回路用コネクタを嵌合後に前記コネクタカバーをスライドさせた状態でのみ前記隣接するコネクタ収容部にコネクタを挿入できない構成としている請求項２乃至請求項４のいずれか１項に記載のプリント基板を備えた自動車用電気接続箱。
【請求項６】
前記コネクタ収容部は前記アッパーケースとロアケースとの間のサイド側に設け、前記コネクタカバーは断面略コ字型とし、両側部を前記アッパーケースとロアケースの表面に形成したガイド溝に摺動自在に嵌合し、該ガイド溝内に位置決め用の突起を設け、前記両側部は前記突起に乗り上げることで移動可能としている請求項５に記載のプリント基板を備えた自動車用電気接続箱。
【発明の詳細な説明】
【技術分野】
【０００１】
本発明は、コネクタ付きプリント基板の形成方法およびプリント基板を備えた自動車用電気接続箱に関する。
【背景技術】
【０００２】
従来、プリント基板用のコネクタは、コネクタハウジングの底面に予め端子を圧入あるいはインサート成形して一体化しておき、該端子を固定したコネクタハウジングをプリント基板上に搭載し、其の際、コネクタハウジングをプリント基板に位置決めして搭載することで、コネクタハウジングに固定している端子をプリント基板の端子穴に正確に一致させて貫通させ、各端子穴に通した端子を半田付け或いは圧接等で固定している。
【０００３】
例えば、特開２００５−１２９２７５号公報では、図１０に示すように、コネクタハウジング１００に予めプレスフィット端子１０１を取り付けておき、コネクタハウジング１００をプリント基板１０２に搭載する際、コネクタハウジング１００の底面より突設した突起部１００ａをプリント基板１０２の挿入孔１０２ａに挿入して位置決めし、プレスフィット端子１０１をプリント基板１０２の端子孔に位置合わせして挿入して、圧接接続している。
【０００４】
【特許文献１】特開２００５−１２９２７５号公報
【発明の開示】
【発明が解決しようとする課題】
【０００５】
しかしながら、プリント基板上に設けるコネクタの構造やコネクタの配置位置、さらには、電気接続箱のアッパーケースとロアケースの形状等によっては、前記特許文献１のようなコネクタハウジングに予め端子を固定しておくことができず、端子をプリント基板に固定して突設した後に、コネクタハウジングをプリント基板上に搭載しなければならない場合がある。
【０００６】
前記のように、プリント基板側から予め突設した端子に、コネクタハウジングを位置合わせして取り付けなければならない場合、プリント基板から突出する端子が位置決め保持されていないため不安定である。よって、コネクタハウジングの取付時にコネクタハウジング側の各端子挿入部と端子との間に位置ずれが発生し易い等の問題がある。
特に、プリント基板を電気接続箱内に組みつけるまでは、コネクタハウジングがプリント基板上に搭載されているだけで固定されておらず、電気接続箱のケース内に組みつける際にケースとの嵌合でコネクタハウジングがプリント基板に固定される場合には、前記ケースによるコネクタハウジングの固定時に、端子に負荷がかかりやすい等の問題がある。
【０００７】
本発明は、前記した問題に鑑みてなされたもので、コネクタハウジングが後付けされる場合にプリント基板から突設した端子を確実に位置決め保持でき、コネクタハウジングと端子との位置合わせが確実にできるようにすることを課題としている。
【課題を解決するための手段】
【０００８】
前記課題を解決するため、第１の発明として、
台座に設けた複数の貫通孔にそれぞれ端子を圧入し、あるいは端子をインサート成形して台座を設け、
前記台座の底面から突設した前記各端子をプリント基板に設けた端子孔に貫通させると共に、前記台座の底面から突設したリブを前記プリント基板に穿設した貫通孔に嵌合して、前記台座の底面をプリント基板の表面に接触した状態で仮固定し、
ついで、前記プリント基板の端子孔に貫通した各端子を半田付けで固定し、
ついで、前記台座を内嵌する嵌合孔を設けたコネクタハウジングを、前記台座と嵌合させ、前記端子を収容した状態で前記プリント基板上に搭載していることを特徴とするコネクタ付きプリント基板の形成方法を提供している。
【０００９】
前記第１の発明のコネクタ付きプリント基板の形成方法では、コネクタハウジングとの嵌合前に端子を位置決め固定する台座を設けている。この台座にはリブを設けてプリント基板との位置決め固定を図るため、該台座に予め固定した端子をプリント基板の端子孔に正確に位置合わせできる。また、プリント基板の端子孔に通した端子を半田付けで固定することで、端子を介して台座をプリント基板とを固定できる。
一方、該プリント基板に固定した台座とコネクタハウジングとの位置合わせは、コネクタハウジングに台座を嵌合する嵌合孔を設けている。この嵌合孔に台座を嵌合させてコネクタハウジングを取り付けることで、コネクタハウジングの各端子挿入部と台座に固定された端子との位置合わせが確実になされ、端子は位置ずれすることなくコネクタハウジングの端子収容部に通すことができる。かつ、コネクタハウジング自体も台座を介してプリント基板上に位置決め保持できる。
よって、このコネクタ付きプリント基板を電気接続箱内に組みつけるまで、プリント基板から突設した端子は台座で固定され、該台座にコネクタハウジングが位置決め保持されているため端子に負荷がかからず、かつ、電気接続箱にプリント基板を組みつける際にも端子に負荷を発生させないようにすることができる。
【００１０】
また、第２の発明として、コネクタ付きプリント基板をロアケースとアッパーケースとからなるケース内に収容し、前記プリント基板のコネクタを前記ケースの外面に配置してワイヤハーネス端末のコネクタと嵌合する電気接続箱であって、
前記コネクタ付きプリント基板は、該プリント基板の端子孔に夫々半田付けして突設する複数の端子を貫通固定した台座を備え、該台座のプリント基板側面に設けたリブをプリント基板の貫通孔に嵌合して、該台座をプリント基板に当接させ、これら端子を収容すると共に前記台座を嵌合孔に嵌合して前記プリント基板の表面に組み付けるコネクタハウジングを備え、
前記コネクタハウジングの外面に突設した係止片を、前記ロアケースとアッパーケースに夫々形成した被係止部に係止して、該コネクタハウジングを前記ロアケースとアッパーケースとで狭持固定していることを特徴とするプリント基板を備えた自動車用電気接続箱を提供している。
【００１１】
前記電気接続箱に組みつけるコネクタ付きプリント基板は、前記形成方法で形成されたものであることが好ましいが、必ずしも前記形成方法に限定されず、台座を備えると共に、該台座を嵌合孔に嵌合してコネクタハウジングを備えたコネクタ付きプリント基板を備える電気接続箱に本発明を適用することができる。
【００１２】
前記構成からなる電気接続箱では、プリント基板に位置決め保持されているが、固定されていないコネクタハウジングを、電気接続箱のアッパーケースとロアケースとで挟持固定することができる。かつ、電気接続箱のアッパーケースやロアケースにプリント基板の端子とワイヤハーネス端末のコネクタとを接続するためのコネクタ収容部を設ける必要がないため、その形状を簡単とすることできる。
【００１３】
前記プリント基板上には、複数の前記台座を間隔をあけて並設し、これら台座を嵌合する前記貫通孔を間隔をあけて設けたコネクタハウジングを取り付け、かつ、
前記コネクタハウジングには仕切壁を設けて、異なるコネクタが嵌合されるコネクタ収容部を並設してもよい。
【００１４】
前記構成とすると、多数の端子を群毎にまとめた多極のコネクタを簡単に設けることができる。また、異なるコネクタが嵌合される隣接するコネクタ収容部を、１つのコネクタハウジングを取り付けることで形成でき、スペース的に有利になると共に、コネクタハウジングの個数を低減できる。
【００１５】
前記コネクタがエアバック用のコネクタとの嵌合用である場合には、前記プリント基板上にコネクタを隣接して並設し、一方のコネクタはエアバック回路用コネクタ収容部とし、該エアバック回路用コネクタ収容部と隣接する他のコネクタ収容部とを跨くスライド型のコネクタカバーを前記ロアケースあるいは／及びアッパーケースにスライド自在に取り付け、エアバック回路用コネクタを嵌合後に前記コネクタカバーをスライドさせた状態でのみ前記隣接するコネクタ収容部にコネクタを挿入できない構成としている
【００１６】
従来提供されているエアバック用コネクタの二重係止構造は、隣接するコネクタにヒンジ結合したコネクタカバーを設け、エアバック用コネクタを取り付けた後にコネクタカバーで閉鎖した場合のみ、隣接コネクタに相手型コネクタを取り付けることができない構成等としている。しかしながら、該構成はコネクタカバーを回転できるスペースが必要であるため、スペース上で採用できない場合があると共に、コネクタカバーをヒンジ結合しなければならない等の問題がある。
これに対して、本発明は、コネクタカバーをスライド構成としているため、スペース上の制約はない。
なお、前記コネクタカバーはエアバック用コネクタを取り付けた後に、エアバック用コネクタ側にスライドさせてもエアバック用コネクタの電線接続部には干渉しない大きさとしている。
【００１７】
具体的には、前記コネクタ収容部は前記アッパーケースとロアケースとの間のサイド側に設け、前記コネクタカバーは断面略コ字型とし、両側部を前記アッパーケースとロアケースの表面に形成したガイド溝に摺動自在に嵌合し、該ガイド溝内に位置決め用の突起を設け、前記両側部は前記突起に乗り上げることで移動可能としている。
【００１８】
前記構成のように、アッパーケースとロアケースに突起を設けたガイド溝を係止することで、コネクタカバーをエアバック用コネクタを嵌合した後をエアバック用コネクタ側に移動させることで、エアバック用コネクタをコネクタ収容部との間に設けたロック部で係止できると共にコネクタカバーで当接して二重係止できる。かつ、この係止位置でコネクタカバーを突起で位置決め保持することができる。
このように、別部材を設けることなく、簡単にエアバック用コネクタの二重係止を実現することができる。
【発明の効果】
【００１９】
上述したように、まず、本発明のコネクタ付きプリント基板の形成方法では、プリント基板に端子を固定し、その後、コネクタハウジングを取り付けなければならない場合、端子を台座に固定し、該台座をプリント基板に位置決め保持するため、端子とプリント基板の端子孔との位置合わせを容易に行うことが出来ると共に、該端子を固定した台座をコネクタハウジングの嵌合孔に嵌合して、コネクタハウジングをプリント基板上に搭載するため、コネクタハウジングの端子挿入部と端子を位置ずれすることなく取り付けることができる。
【００２０】
また、前記コネクタ付きプリント基板を収容した電気接続箱においては、コネクタハウジングをアッパーケースとロアケースとで挟持固定すると、アッパーケースとロアケース
にプリント基板から突設した端子とワイヤハーネス端末の端子との接続用コネクタ収容部を設ける必要はなく、これらケースの形状を簡単にすることができ、製造コストを低減できる。
【００２１】
さらに、前記電気接続箱のコネクタ収容部にエアバック用コネクタを嵌合する場合、コネクタカバーをスライド自在にケースに取り付ける構造とすると、スペースを取ること無くエアバック用コネクタの二重係止を実現することができる。
【発明を実施するための最良の形態】
【００２２】
以下、本発明の実施形態を図１乃至図９を参照して詳述する。
図１は実施形態の電気接続箱の分解斜視図であり、プリント基板１をロアケース２とアッパーケース３との間に収容し、該ロアケース２とアッパーケース３とに挟まれた対向する両側面にプリント基板１に設けたコネクタ収容部４、４を配置すると共に直交方向の一側面にヒューズ収容部５を設けている。また、他側面はアッパーケース３の側面３ａで閉鎖すると共に、該側面側に近接した上面にコネクタ収容部３ｂを設け、プリント基板１から突設する端子６をコネクタ収容部３ｂに突出させている。
【００２３】
前記プリント基板１の中央には複数のリレー７を実装し、両側部に前記コネクタ収容部４、４に突出させる多数の端子１０をブロック毎に分けて間隔をあけて並設している。これらの端子１０は突出側を外向きに突出したＬ形状としている。
【００２４】
図３に示すように、プリント基板１の端子孔１ａに通して半田付けで固定して突設している端子１０は、ブロック毎に台座１１に予め固定しており、該台座１１をコネクタハウジング１２の嵌合孔１２ａに貫通させてコネクタハウジング１２をプリント基板１上に装着して、前記コネクタ収容部４を形成している。
前記プリント基板１の両側に設けるコネクタ収容部４、４はいずれも隣接する２つのコネクタ収容部４０と４１、４２と４３を備え、これらコネクタ収容部４０と４１、４２と４３は夫々コネクタハウジング１２に設けた仕切壁部１２ｂで仕切って形成している。
【００２５】
図４に示すように、一側の前記コネクタ収容部４０はエアバック用コネクタ５０が嵌合されるエアバックコネクタ収容部である。該エアバックコネクタ収容部４０と隣接するコネクタ収容部４１との間には、コネクタカバー４５を慴動自在にロアケース２とアッパーケース３との間に取り付け、エアバック用コネクタ５０を二重係止している。
【００２６】
以下に、前記した各部の構成および組付方法を詳述する。
前記プリント基板１の両側に設けるコネクタ収容部４は、図５乃至図８に示す方法で形成している。
【００２７】
前記台座１１は図５および図６に示すように、厚肉な矩形状部からなる端子固定部１１ａと、該端子固定部１１ａに連続した薄肉部１１ｂと、該薄肉部１１ｂの先端両隅から突設した位置決め用のリブ１１ｃを備えた耐熱性樹脂からなる成形品からなる。
前記端子固定部１１ａには多数の貫通孔１１ｄを並設した段を３段で設け、各貫通孔１１ｄにそれぞれ端子１０を圧入固定している。
【００２８】
前記端子１０を予め貫通固定した台座１１をプリント基板１上に搭載し、図３に示すように、プリント基板１に穿設した貫通孔１ａに貫通して位置合わせしながら、端子１０をプリント基板１の端子孔１ｂに貫通し、その後、半田付け固定している。この状態で図８に示すように、プリント基板１に半田付けして突設した端子１０を貫通固定している台座１１をプリント基板１上に仮固定している。
【００２９】
その後、図７および図８に示すように、台座１１を嵌合する嵌合孔１２ａを設けたコネクタハウジング１２を装着してプリント基板１上に組みつけている。
コネクタハウジング１２は、図８に示すように、上壁１２ｃ、下壁１２ｄ、背面壁１２ｅ、両側壁１２ｆ、前記中央仕切壁１２ｂを備え、前面開口をコネクタ挿入開口としている。前記上下壁１２ｃ、１２ｄおよび背面壁１２ｅに連続して前記台座１１を嵌合する嵌合孔１２ａを形成している。該嵌合孔１２ａは中央仕切壁１２ｂで区画された両側にそれぞれ３個設け、各嵌合孔１２ａに夫々台座１１を嵌合している。
【００３０】
プリント基板１の両側の全長にわたり、それぞれ１つのコネクタハウジング１２を装着することで、前記のように、左右両側に２個のコネクタ収容部４（４０と４１）、４（４２と４３）を設けている。
この状態で、コネクタハウジング１２は各嵌合孔１２ａに台座１１を嵌合した状態でプリント基板１上に搭載しているだけであり、プリント基板上に実装していない。
【００３１】
前記コネクタハウジング１２の各コネクタ収容部４に台座１１および台座１１から突設した端子１０を突出させたプリント基板１を、ロアケース２上に組みつけている。其の際、図３に示すように、コネクタハウジング１２の上下壁１２ｃ、１２ｄおよび両側壁１２ｆの開口周縁より突設した係止片１２ｇのうち、下壁１２ｄより突設した係止片１２ｇ−１をロアケース２に設けた凹部からなる被係止部２ａに係止している。
同様に、アッパーケース３の凹部からなる被係止部３ｃに上壁１２ｃの係止片１２ｇ−２を係合している。
このように、ロアケース２とアッパーケース３にコネクタハウジング１２の係止片１２ｇを係止した状態で、ロアケース２とアッパーケース３とをロック結合することで、コネクタハウジング１２をロアケース２とアッパーケース３とで挟持固定している。
【００３２】
前記図４に示すエアバックコネクタ収容部４０に取り付けるコネクタカバー４５は、スライド幅Ｌ２の半分の幅Ｌ１としている。該コネクタカバー４５は断面コ字型とし、中央部４５ａをコネクタ嵌合側に横断状に位置させ、両側部４５ｂをロアケース２とアッパーケース３の外面に位置させている。また、中央部４５ａの外面に操作用の凹凸４５ｅを設けている。
【００３３】
前記コネクタハウジング１２には、図８に示すように、コネクタハウジング１２の上壁１２ｃと下壁１２ｄより突設する前記係止片１２ｇの中央部に切欠１２ｇ−３を設けるとともに、図１に示すようにロアケース２とアッパーケース３にも段状の凹部２ｄ、３ｄを設け、前記コネクタカバー４５の両側部４５ｂをスライド自在に組みつけている。
また、図９にはアッパーケース３側で示しているが、コネクタカバー４５の側部４５ｂの先端に設けたガイドリブ４５ｃを前記凹部３ｄに形成したガイド溝３ｅにスライド自在に嵌合し、かつ、該ガイド溝３ｅの中央に位置決め用の突起３ｆを設けている。前記ガイドリブ４５ｃが突起３ｆを乗り越えることにより移動可能としている。
【００３４】
前記構成としていることで、図４（Ｂ）に示すように、コネクタカバー４５をコネクタ収容部４１側に位置させた状態で、コネクタ収容部４０にエアバック用コネクタ５０を挿入する。
その後、図４（Ｃ）に示すように、コネクタカバー４５をエアバック側コネクタ５０の嵌合面側に移動させないと、コネクタ収容４１にコネクタ５１を挿入できないようにし、エアバック用コネクタ５０をコネクタカバー４５で確実に係止している。
なお、コネクタ収容部４０〜４３と嵌合するコネクタとの間には、従来周知のロック結合部（図示せず）を設け、該ロック結合と前記コネクタカバーによる係止とで、二重係止としている。
【００３５】
本発明の電気接続箱は、前記のように、ロアケース２とアッパーケース３からなるケース内にコネクタ付きのプリント基板１を収容した構成としている。
前記電気接続箱では、ロアケース２とアッパーケース３に挟まれた両側にプリント基板１に設けたコネクタハウジング１２を位置決め固定し、該コネクタハウジング１２でコネクタ収容部４（４０〜４３）を形成しているため、ロアケース２とアッパーケース３にはコネクタ収容部を設ける必要はない。
かつ、前記２個のコネクタ収容部４（４０と４１）、４（４２と４３）は、それぞれ１個のコネクタハウジング１２で形成していると共に、各コネクタ収容部４は多数の基板付け端子１０を密集させたブロックをそれぞれ３組備えた多極コネクタ収容部とし、各ブロックの端子１０を台座１１でそれぞれ安定支持している。
このように、プリント基板と接続した多数の端子を収容したコネクタ収容部を高密度に設けることができる。
【００３６】
さらに、エアバックコネクタ収容部４０にスライド型のコネクタカバー４５を取り付けているため、スペースを取ること無く、エアバック用コネクタ５０の嵌合後にコネクタカバー４５を被せて二重係止することができる。
【００３７】
本発明の電気接続箱は、前記実施形態に限定されず、コネクタハウジングは各コネクタ収容部毎に一対一で設けても良いし、１個のコネクタ収容部には１個の台座を嵌合させる構成としてもよい。
【図面の簡単な説明】
【００３８】
【図１】本発明の実施形態の電気接続箱の分解斜視図である。
【図２】図１のプリント基板の水平断面図である。
【図３】組付状態の前記電気接続箱の一部拡大垂直断面図である。
【図４】（Ａ）は電気接続箱の側面図、（Ｂ）はエアバック用コネクタの取付時の要部水平断面図、（Ｃ）はエアバック用コネクタの取付後の要部水平断面図である。
【図５】台座の平面図である。
【図６】台座に端子を取り付けた状態の平面図である。
【図７】プリント基板に取り付ける台座を示す説明図である。
【図８】プリント基板に台座を取り付けた状態を示す斜視図である。
【図９】（Ａ）（Ｂ）はコネクタカバーの取付状態を示す断面図である。
【図１０】従来例を示す図面である。
【符号の説明】
【００３９】
１  プリント基板
２  ロアケース
３  アッパーケース
４  コネクタ収容部
１０  端子
１１  台座
１１ｃ  リブ
１１ｄ  貫通孔
１２  コネクタハウジング
１２ａ  嵌合孔
１２ｂ  中央仕切壁
１２ｇ  係止片
４０  エアバックコネクタ収容部
４５  コネクタカバー
５０  エアバック用コネクタ
【図１】
2008117675.tif 000003
【図２】
2008117675.tif 000004
【図３】
2008117675.tif 000005
【図４】
2008117675.tif 000006
【図５】
2008117675.tif 000007
【図６】
2008117675.tif 000008
【図７】
2008117675.tif 000009
【図８】
2008117675.tif 000010
【図９】
2008117675.tif 000011
【図１０】
2008117675.tif 000012